(57)【要約】【課題】  バンドの取付または取り外しが容易なだけでなく、バンドを損傷することがなく確実に取り付けることができる時計とバンドの連結構造を提供することにある。【解決手段】  押え板２２の突出部２２ａは、バンド裏面側からバンド１２の位置決め孔１２ａに嵌合される。時計ケース２０は、押え板２２に対面するようにバンド１２にその表面側から被される。押え板２２の連結部材挿通孔２２ｂに挿通した連結部材であるバネ棒２４は、時計ケース２０の連結部材取付孔２０ｄに取り付けられる。このように、突出部２２ａが位置決め孔１２ａに嵌合することでバンド１２に対する押え板２２の位置決めを行っている。また、バンド１２を挟むように押え板２２に時計ケース２０を取り付けることでバンド１２に負担をかけることなく時計を固定している。【選択図】  図２
2006266703.tif 000002
【特許請求の範囲】
【請求項１】
貫通孔からなる位置決め孔を有するバンドと、
連結部材と、
前記位置決め孔に適合する突出部と前記連結部材を挿通する連結部材挿通孔とを有し、前記バンドの裏面側からバンドに取り付けられる押え板と、
前記バンドの表面側からバンドに取り付けられ、前記連結部材が取り付けられる連結部材取付孔を有する時計ケースと、を備え、
前記連結部材挿通孔に挿通された連結部材を前記連結部材取付孔に取り付けることで前記押え板と時計ケースとの間に前記バンドを挟んで固定することを特徴とする時計とバンドの連結構造。
【請求項２】
前記位置決め孔は複数設けられ、前記突出部を前記位置決め孔の１つに適合させることで前記バンドに対する前記押え板の位置を選択可能とすることを特徴とする請求項１記載の時計とバンドの連結構造。
【請求項３】
前記バンドは、前記位置決め孔付近に設けられた貫通孔からなる窓孔を有し、該窓孔を通して、前記押え板の連結部材挿通孔に挿通された連結部材を前記時計ケースの連結部材取付孔に取り付けることを特徴とする請求項１又は２記載の時計とバンドの連結構造。
【請求項４】
前記連結部材は、バネ棒、ピン、ネジ、ピンと割パイプの中の少なくとも１つからなることを特徴とする請求項１又は３記載の時計とバンドの連結構造。
【発明の詳細な説明】
【技術分野】
【０００１】
本発明は、腕時計に関するものであり、特に、着脱が容易な時計ケースとバンドとの連結構造に関するものである。
【背景技術】
【０００２】
一般に、腕時計におけるバンドは、時計ケースの１２時及び６時位置に突設された足部に、バンド端の管状部に収められたバネ棒等を用いて取り付けることにより連結されていた。しかしながら、バンドの取付または取り外しの際に、バンドの管状部の端部からわずかに見えるバネ棒を操作することが難しく、バンドの管状部を損傷することがあった。このため、バンドの取付または取り外しをより簡単にしたものが案出された。
【０００３】
図９はバンドを簡単に取付または取り外すことができる従来の腕時計の構造を示す分解斜視図である。この腕時計においては、バンド２の中央に孔２ａを設け、この孔２ａに裏蓋４の立上り部４ａを通し、リング状の胴６の内壁に立上り部４ａを螺合して胴６に裏蓋４を取り付け、このときにバンド２を胴６と裏蓋４との間に挟み込んで固定していた（特許文献１参照）。
【０００４】
この腕時計では、裏蓋４を着脱するだけでバンド２を取付または取り外すことができるが、裏蓋４の着脱の際に回転する裏蓋４によってバンド２が擦れたり傷付くことがあった。また、胴６と裏蓋４をネジを用いて固定することもあったが、時計の携帯中にネジが緩んで裏蓋４が脱落し、バンドから時計が外れて紛失することがあった。更に、ネジを用いると、ネジのサビ等によって裏蓋の取り外しが難しくなることもあり、バンドの着脱や交換が容易でなかった。
【特許文献１】実開昭４９−６２４６０号公報
【発明の開示】
【発明が解決しようとする課題】
【０００５】
本発明が解決しようとする課題は、バンドの取付または取り外しが容易なだけでなく、バンドを損傷することがなく確実に取り付けることができる時計とバンドの連結構造を提供することにある。
また、他の目的として、基本的な構造を変更することなく、バンドに対する時計ケースの取付位置を使用者の好みに応じて変更可能とした時計とバンドの連結構造を提供することにある。
【課題を解決するための手段】
【０００６】
本発明の時計とバンドの連結構造は、貫通孔からなる位置決め孔を有するバンドと、連結部材と、前記位置決め孔に適合する突出部と前記連結部材を挿通する連結部材挿通孔とを有し、前記バンドの裏面側からバンドに取り付けられる押え板と、前記バンドの表面側からバンドに取り付けられ、前記連結部材が取り付けられる連結部材取付孔を有する時計ケースと、を備えている。この構造においては、前記連結部材挿通孔に挿通された連結部材を前記連結部材取付孔に取り付けることで前記押え板と時計ケースとの間に前記バンドを挟んで固定している。
また、この時計とバンドの連結構造における前記位置決め孔は複数設けられ、前記突出部を前記位置決め孔の１つに適合させることで前記バンドに対する前記押え板の位置を選択可能としている。
更に、この時計とバンドの連結構造における前記バンドは、前記位置決め孔付近に設けられた貫通孔からなる窓孔を有し、該窓孔を通して、前記押え板の連結部材挿通孔に挿通
された連結部材を前記時計ケースの連結部材取付孔に取り付けるものとなっている。
また、前記連結部材は、バネ棒、ピン、ネジ、ピンと割パイプの中の少なくとも１つからなっている。
【発明の効果】
【０００７】
本発明によれば、バンドの着脱時にバンドが擦れたり負荷がかかって損傷することがなく、しかも連結部材（バネ棒、ピン、ネジ、ピンと割パイプ等）を操作するだけで簡単にバンドを着脱することができる時計とバンドの連結構造を提供することができる。
【０００８】
また、バンドに複数の位置決め孔を設けるだけで基本的な構造を変更することなく、バンドに対する時計ケースの取付位置を使用者の好みに応じて変更可能とすることができる。
【０００９】
また、バンドに窓孔を設け、この窓孔を通して押え板と時計ケースを連結部材で結合することにより、時計ケースより幅が広いバンドを使用することができ、デザインバリエーションを増やすことができる。
【発明を実施するための最良の形態】
【００１０】
本発明の時計とバンドの連結構造におけるバンドには、貫通孔からなる位置決め孔と窓孔が設けられている。このバンドの裏面側から取り付けられる押え板には、位置決め孔に適合する突出部と、その相対する端部に設けられた連結部材挿通孔が設けられている。また、バンドの表面側から取り付けられる時計ケースには、押え板の連結部材挿通孔に挿通された連結部材が取り付けられる連結部材取付孔が設けられている。
【００１１】
上記構成からなるバンドに押え板及び時計ケースを取り付けるには、はじめにバンドの位置決め孔にバンド裏面側から押え板の突出部を嵌合する。次に、時計ケースを押え板に対面させるように、時計ケースをバンド表面側から被せる。ここで、押え板の連結部材挿通孔に挿通した連結部材（バネ棒、ピン、ネジ、ピンと割パイプ等）を時計ケースの連結部材取付孔に取り付ける。このように、突出部が位置決め孔に嵌合することでバンドに対する押え板の位置決めを行い、バンドを挟むように押え板に時計ケースを取り付けることでバンドに負担をかけることなく固定している。また、バンドの窓孔やバンドの外側において連結部材を用いて押え板と時計ケースを連結部材を用いて直接結合しているので、着脱時の連結部材の操作によってバンドを損傷することがない。
【実施例１】
【００１２】
図１は本発明の実施例１に係る時計とバンドの連結構造を示す腕時計の平面図、図２は図１に示す腕時計の分解斜視図、図３は図１に示すバンドの平面図、図４は図１に示す腕時計の側面図、図５は図１に示す時計ケース付近の断面図、図６は図１に示す腕時計の背面図である。
【００１３】
１２は皮、ウレタンゴム等からなるバンドである。このバンド１２のバンド長手方向の一端には尾錠１４と環１６が取り付けられており、他端側には尾錠１４が係止する複数の係止用孔１８が設けられている。また、バンド１２の中央付近には、バンド長手方向に細長く伸びる矩形状の貫通孔からなる位置決め孔１２ａと、この位置決め孔１２ａのバンド幅方向に隣接して設けられた窓孔１２ｂが形成されている。この窓孔１２ｂも、位置決め孔１２ａと同様に、バンド長手方向に細長く伸びる矩形状をなす貫通孔からなる。この位置決め孔１２ａと窓孔１２ｂは、後述する押え板の突出部及び連結部材であるバネ棒にて結合する部分に適合する形状及び寸法に設定されている。また、バンド１２には、窓孔１２ｂのバンド長手方向に連なるように略正方形状の貫通孔１２ｃが、外観を整えるための装飾として設けられている。
【００１４】
２０は時計ケース、２２は押え板、２４は連結部材であるバネ棒である。押え板２２は、その表面の略中央に細長矩形状の突出部２２ａを有している。この突出部２２ａは、バンド１２の位置決め孔１２ａに適合するようにその形状及び寸法が設定されている。また、押え板２２の３時及び９時方向の端部には、それぞれバンド長手方向に形成された貫通孔からなる連結部材挿通孔２２ｂが設けられている。この連結部材挿通孔２２ｂにはバネ棒２４が挿通される。バネ棒２４は、その両端にある係止部分が連結部材挿通孔２２ｂの開口部から突出するようにセットされる。
【００１５】
時計ケース２０は、図５に示すように、ムーブメント２６等を内蔵し、表面側に風防２８が取り付けられ、３時方向にリューズ等の操作部３０が取り付けられた胴２０ａと、この胴２０ａの裏面側に取り付けられた裏蓋２０ｂとから構成されている。この時計ケース２０の３時及び９時方向の端部の裏面側角部には、凸部２０ｃが設けられている。この凸部２０ｃには、時計ケース２０と押え板２２とを組み付けたときに、バネ棒挿通孔２２ｂに挿通したバネ棒２４の係止部分に対面する連結部材取付孔２０ｄが設けられている。
【００１６】
上記構成からなる時計ケース２０及び押え板２２は、次のようにバンド１２に取り付けられる。はじめに、押え板２２の突出部２２ａをバンド１２の位置決め孔１２ａにバンド裏面方向から嵌め込む。次に、時計ケース２０をバンド１２の表面方向から被せる。このときに、予め押え板２２の連結部材挿通孔２２ｂにセットしたバネ棒２４を、時計ケース２０の連結部材取付孔２０ｄに係止させ、時計ケース２０と押え板２２とを結合させる。これにより、時計ケース２０と押え板２２は、それらの間にバンド１２を挟み込んで固定され、取り付けられることになる。
【００１７】
本実施例における時計ケース２０と押え板２２は、３時方向の端部がバンド１２の外側で結合され、また、９時方向の端部がバンド１２の窓孔１２ｂ内にて結合されている。このように窓孔１２ｂをバンド１２に設けることで、時計ケース２０及び押え板２２の幅にバンド１２の幅を合わせることなく時計ケース２０と押え板２２を結合させることができる。
【００１８】
上記のように時計ケース２０と押え板２２でバンド１２を挟むことで時計ケース２０と押え板２２をバンド１２に取り付けることにより、取付時にバンド１２の表裏面が擦れて損傷することがない。また、時計ケース２０と押え板２２はバネ棒２４により確実に結合されており、使用中に外れて時計ケース２０が脱落することがない。更に、バンド１２の位置決め孔１２ａと押え板２２の突出部２２ａとが嵌合しているので、押え板２２の位置決めが確実になされ、押え板２２がずれたり、位置ずれによるバンド表面の擦り傷が発生することがない。
【実施例２】
【００１９】
前述した実施例１における押え板２２の突出部２２ａを比較的小さい略正方形の平面形状に設定し、これに適合するバンド１２の位置決め孔１２ａを複数設けることで、押え板２２の取付位置を選択可能とすることができる。例えば、図７に示す実施例２のように、押え板２２の突出部２２ｃを平面形状が略正方形となるように設定する。また、バンド１２には、２つの位置決め孔１２ｄ，１２ｅをバンド１２の中央より図中右側で且つバンド長手方向に並べて形成し、更にその図中左側に位置決め孔１２ｄ，１２ｅに対応するようにバンド長手方向の長さを設定した窓孔１２ｆを形成している。これにより、位置決め孔１２ｄ，１２ｅの何れに突出部２２ｃを嵌め込むか選択することで、押え板２２のバンド長手方向位置を選択することが可能となる。
【００２０】
また、図７に示すように、位置決め孔１２ｇ，１２ｈをバンド１２の中央より図中左側
で且つバンド長手方向に並べて形成し、その図中右側に窓孔１２ｉを形成すれば、押え板２２をバンド幅方向（図７では図中左側）に移動させて取り付けて、バンド長手方向に位置選択可能とすることができる。更に、図７に示すように、位置決め孔１２ｊ，１２ｋをバンド１２の中央で且つバンド長手方向に並べて形成し、その図中左右に窓孔１２ｍ，１２ｎをそれぞれ形成すれば、押え板２２をバンド中央に取り付けて、バンド長手方向に位置選択可能とすることができる。
【００２１】
尚、上記のように位置決め孔１２ｄ，１２ｅ，１２ｇ，１２ｈ，１２ｊ，１２ｋ及び窓孔１２ｆ，１２ｉ，１２ｍ，１２ｎをそれぞれ又は組み合わせて形成した場合であっても、押え板２２と時計ケース２０との結合構造は何等変更することなく、実施例１と同一にすることができる。
【００２２】
また、実施例１，２における窓孔１２ｂ，１２ｆ，１２ｉ，１２ｍ，１２ｎは、バンド１２の幅が押え板２２及び時計ケース２０の３時―９時方向の幅よりも広い場合に設けられるものであり、バンド１２の幅が押え板２２及び時計ケース２０の幅より狭い場合（バンドの取付部分の幅だけが狭い場合も含む）には、窓孔を設ける必要はない。また、上記実施例において、連結部材にバネ棒を使用したが、図８の（Ａ）、（Ｂ）、（Ｃ）に示すピン３１、ネジ３２またはピン３４と割パイプ３３を使用できることは言うまでもない。
【産業上の利用可能性】
【００２３】
本発明の時計とバンドの連結構造は、時計とバンドとの連結を、バンドを損傷することなく確実かつ簡単に行うことができるようにするものであり、一般の時計に広く用いることが可能である。また、その他、バンドを自由に交換する着せ替え時計や、時計をバンドに取り付ける位置を選択可能としたり、位置決め孔や窓孔の存在による装飾性の向上により、デザイン品質が高く、ファッション性に富んだ時計に用いることも可能である。
【図面の簡単な説明】
【００２４】
【図１】本発明の実施例１に係る時計とバンドの連結構造を示す腕時計の平面図である。
【図２】図１に示す腕時計の分解斜視図である。
【図３】図１に示すバンドの平面図である。
【図４】図１に示す腕時計の側面図である。
【図５】図１に示す時計ケース付近の断面図である。
【図６】図１に示す腕時計の背面図である。
【図７】本発明の実施例２に係る時計とバンドの連結構造を示す腕時計の分解平面図である。
【図８】（Ａ）はピンの平面図、（Ｂ）はネジの平面図、（Ｃ）はピンと割パイプの斜視図をそれぞれ示す。
【図９】従来の時計とバンドの連結構造を示す斜視図である。
【符号の説明】
【００２５】
２      バンド
２ａ    孔
４      裏蓋
４ａ    立上り部
６      胴
１２    バンド
１２ａ，１２ｄ，１２ｅ，１２ｇ，１２ｈ，１２ｊ，１２ｋ  位置決め孔
１２ｂ，１２ｆ，１２ｉ，１２ｍ，１２ｎ                  窓孔
１４    尾錠
１６    環
１８    係止用孔
２０    時計ケース
２０ａ  胴
２０ｂ  裏蓋
２０ｃ  凸部
２０ｄ  連結部材取付孔
２２    押え板
２２ａ，２２ｃ  突出部
２２ｂ  連結部材挿通孔
２４    バネ棒
２６    ムーブメント
２８    風防
３０    操作部
３１    ピン
３２    ネジ
３３    割パイプ
３４    ピン
【図１】
2006266703.tif 000003
【図２】
2006266703.tif 000004
【図３】
2006266703.tif 000005
【図４】
2006266703.tif 000006
【図５】
2006266703.tif 000007
【図６】
2006266703.tif 000008
【図７】
2006266703.tif 000009
【図８】
2006266703.tif 000010
【図９】
2006266703.tif 000011